【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
送風手段によって吸込み口から吸込んだ空気を吹出し口から吹出すときに前記吸込み口と吹出し口との間に設けた熱交換器によって前記空気を温調する空気調和機であって、
前記吸込み口と前記熱交換器の間に配置した温度センサと、
所定の風量の空気を吹出し口から吹出すように前記送風手段を制御する送風制御手段と、
前記温度センサの計測する室温と設定値とに基づいてコンプレッサの運転及び前記送風手段を制御する手段とを備えると共に、
前記送風制御手段が前記送風手段の作動を停止させているときに、その送風手段を最低能力で間欠作動させて前記温度センサによって計測される室内温度の値を有効にする室温計測手段と、
を含むことを特徴とする空気調和機。
【請求項２】
前記室温計測手段は、暖房運転の際に機能することを特徴とする請求項１に記載の空気調和装置。
【請求項３】
前記室温計測手段は、前記送風手段を停止させた直後に前記温度センサによって計測された室温の値を有効な値として前記手段に出力することを特徴とする請求項１又は請求項２に記載の空気調和装置。
【手続補正２】
【補正対象書類名】明細書
【補正対象項目名】０００４
【補正方法】変更
【補正の内容】
【０００４】
ところで、定速形のエアコンでは、温度センサによって検出した室内温度と設定温度の
温度差に基づいてコンプレッサをオン／オフする。すなわち、室内温度が略設定温度と等
しくなると、コンプレッサをオフする。
【手続補正３】
【補正対象書類名】明細書
【補正対象項目名】０００９
【補正方法】変更
【補正の内容】
【０００９】
請求項１に係る発明は、送風手段によって吸込み口から吸込んだ空気を吹出し口から吹
出すときに前記吸込み口と吹出し口との間に設けた熱交換器によって前記空気を温調する
空気調和機であって、前記吸込み口と前記熱交換器の間に配置した温度センサと、所定の
風量の空気を吹出し口から吹出すように前記送風手段を制御する送風制御手段と、前記温
度センサの計測する室温と設定値とに基づいてコンプレッサの運転及び前記送風手段を制
御する手段とを備えると共に、前記送風制御手段が前記送風手段の作動を停止させている
ときに、その送風手段を最低能力で間欠作動させて前記温度センサによって計測される室
内温度の値を有効にする室温計測手段と、を含むことを特徴とする
【手続補正４】
【補正対象書類名】明細書
【補正対象項目名】００１３
【補正方法】変更
【補正の内容】
【００１３】
請求項２に係る発明は、請求項１に記載の空気調和機において、前記室温計測手段は、
暖房運転の際に機能することを特徴とする。
【手続補正５】
【補正対象書類名】明細書
【補正対象項目名】００１５
【補正方法】変更
【補正の内容】
【００１５】
請求項３に係る発明は、請求項１又は請求項２に記載の空気調和機において、前記室温
計測手段は、前記送風手段を停止させた直後に前記温度センサによって計測された室温の
値を有効な値として前記手段に出力することを特徴とする。
【手続補正６】
【補正対象書類名】明細書
【補正対象項目名】００２２
【補正方法】変更
【補正の内容】
【００２２】
図３には、室内ユニット１２の概略断面を示している。この室内ユニット１２には、図
示しない室内の壁面に取り付けられる取付ベース４０の上下（図２の紙面上下）に係止さ
れるケーシング４２によって内部が覆われている。このケーシング４２内には、中央部に
クロスフローファン４４が配置されている。熱交換器１８は、クロスフローファン４４の
前面側から上面側にわたって配置されており、熱交換器１８とケーシング４２の前面側か
ら上面側に形成される吸込み口４８との間には、フィルタ４６が配置されている。また、
ケーシング４２の下部には、吹出し口５０が形成されている。
【手続補正７】
【補正対象書類名】明細書
【補正対象項目名】００２３
【補正方法】変更
【補正の内容】
【００２３】
これにより、室内ユニット１２では、クロスフローファン４４の回転によって、吸込み
口４８から室内の空気が吸込まれフィルタ４６及び熱交換器１８を通過した後、吹出し口
５０から室内へ向けて吹出される。この空気は、冷凍サイクル中の熱交換器１８を通過す
るときに、冷媒との間で熱交換が行われることにより、加熱又は冷却され、吹出し口５０
から調和空気として吹出され、室内の空気調和が図られる。
【手続補正８】
【補正対象書類名】明細書
【補正対象項目名】００２４
【補正方法】変更
【補正の内容】
【００２４】
吹出し口５０内には、左右フラップ５２及び上下フラップ５４が設けられており、左右
フラップ５２及び上下フラップ５４によって、吹出し口５０から吹出される調和空気の風
の向きが変えられるようになっている。
【手続補正９】
【補正対象書類名】明細書
【補正対象項目名】００２８
【補正方法】変更
【補正の内容】
【００２８】
コントロール回路６４のマイコン６２は、リレー７６Ａをオン／オフしてルーバーモー
タ７２を駆動することにより、上下フラップ５４の向きを変更したり、上下フラップ５４
をスイングさせる。また、コントロール回路６４のマイコン６２は、リレー７６Ｂ〜７６
Ｄのオン／オフを切換えることにより、クロスフローファン４４の運転／停止及び回転数
を段階的に制御する。これにより、クロスフローファン４４の回転数がＬＬ（微風）、Ｌ
（弱風）、Ｍ（中風）及びＨ（強風）の４段階に制御され、送風量（風速）が最低風量の
微風から最高風量の強風までの４段階に変えられる。
【手続補正１０】
【補正対象書類名】明細書
【補正対象項目名】００４０
【補正方法】変更
【補正の内容】
【００４０】
一方、室外ユニット１４には、パワーリレー１０２の接点１０２Ａとコンプレッサモー
タ９２の間に、接点１１６Ａ、１１６Ｂが設けられている。この接点１１６Ａ、１１６Ｂ
は、コントロール回路８８に設けている図示しないリレーによって開閉される。通常これ
らの接点１１６Ａ、１１６Ｂは閉じられてコンプレッサモータ９２への通電が可能となっ
ている。コントロール回路８８は、図示しない検出手段によってコンプレッサモータ９２
の過負荷を検出すると、接点１１６Ａを開放し、図示しない外気温度センサによって外気
温度が大きく低下したことを検出すると接点１１６Ｂを開放する。コンプレッサモータ９
２は、接点１１６Ａ又は接点１１６Ｂが開放されることにより、パワーリレー１０２がオ
ンしていても駆動が停止して保護される。
【手続補正１１】
【補正対象書類名】明細書
【補正対象項目名】００４４
【補正方法】変更
【補正の内容】
【００４４】
一方、室内ユニット１２のマイコン６２は、コンプレッサ２６の運転によって加熱又は
冷却される熱交換器１８の温度を熱交温度センサ７８によって検出し、必要に応じてファ
ンモータ７４を停止させる。例えば、暖房運転開始時に熱交換器１８の温度が所定の温度
（例えば２５℃）に達するまでは、ファンモータ７４を停止させ、さらに、熱交換器１８
の温度が十分な暖房能力が得られる温度（例えば３５℃）に達するルーチンまでは、最低
風量（ＬＬ）で送風されるようにしている。
【手続補正１２】
【補正対象書類名】明細書
【補正対象項目名】００５７
【補正方法】変更
【補正の内容】
【００５７】
このように、エアコン１０では、室内ユニット１２の吹出し口５０からの空調風の送風
を停止した時に、ファンモータ７４を最低能力で間欠的に運転することにより、吹出し口
５８からの送風を抑えながら室温センサ８０が熱交換器１８の温度の影響を受けるのを防
止して、常に適切な室内温度を計測するようにしている。これにより、室温センサ８０に
よって計測した室内温度に基づいて適切な能力での空調運転が可能となり、室内を快適な
空調状態に保つことができる。